(57)【特許請求の範囲】
【請求項１】
楽器用アンプ等の真空管アンプで、そのアンプ自体が持つプリアンプ回路で増幅されて作られた信号の音量レベルを下げる事が出来るマスター・ボリュームを同アンプのパワーアンプの電力増幅回路の真空管のソケット又は位相反転回路の真空管のソケットにアダプターを接続する事で取り付ける事の出来る装置。
【発明の詳細な説明】
【技術分野】
【０００１】
本発明は主にエレクトリック・ギターなどの楽器用アンプに見られるマスター・ボリュームに関する。
【背景技術】
【０００２】
ギター・アンプなどの楽器用アンプは、オーディオ用のＨＩ−ＦＩアンプとは違って音の信号を歪ませる事で楽器としての音色を作る特徴があり、古くは音量を上げてアンプをオーバードライブさせる事で歪を得ていたが、後になってプリアンプでオーバードライブさせた後にもう一つボリュームを追加させてアンプを歪ませながらも音量を絞るアンプが世に出てきて、そのボリュームをマスター・ボリュームと一般に呼ばれている。
【０００３】
従来はマスター・ボリューム付きのアンプが欲しい場合は最初からマスター・ボリュームが付いてるアンプを買うか、あるいはマスター・ボリュームが付いていないアンプに対しては、後からアンプの中の回路を半田付けによって配線し直してアンプのシャーシーに穴を開けるか他の部品を取り外してその部品が取り付けてあった穴を流用するなどして音量調整用の可変抵抗を取り付ける改造によってマスター・ボリュームを取り付けるしかなかった。
【０００４】
マスター・ボリューム付きのアンプが出てくる前の時代のビンテージ・アンプは当然マスター・ボリュームは付いてなく、現在でもビンテージ・アンプの復刻版を含めマスター・ボリュームの無い真空管アンプが多く生産されていてる。
【０００５】
ギター・アンプなどの楽器用アンプはオーディオ用のＨＩ−ＦＩアンプとは違い、楽器として音色を作る役割がある為、マスター・ボリュームが音量調整を担当すればアンプ自体が元々持つ往来のボリューム・ツマミは音色作りの調整の方に専念できる。
【非特許文献１】Ｍｉｃｈａｅｌ  Ｄｏｙｌｅ著 「Ｔｈｅ  Ｈｉｓｔｏｒｙ  Ｏｆ  Ｍａｒｓｈａｌｌ」、第２８頁〜第３１頁、第２００頁、第２０３頁
【発明の開示】
【発明が解決しようとする課題】
【０００６】
マスター・ボリュームが付いていないアンプにマスター・ボリュームを取り付けるのには、改造によってアンプの中の回路を半田付けしたり、アンプのシャーシーに音量調整用の可変抵抗を取り付ける穴を確保したりしなければならなかった。
特にオリジナル・コンディションを保ってる物ほど高値で取引されるビンテージ・アンプなどを中心に上述の改造によってオリジナル・コンディションでは無くなる事で価値が下がる事も懸念されていた。
【０００７】
本発明の目的は上述の改造をする事無く尚且つ容易にマスター・ボリュームが付いていない真空管式アンプにそのアンプ自体の回路に対するマスター・ボリュームを取り付ける事にある。
【課題を解決するための手段】
【０００８】
上述の目的を達成する本発明のマスター・ボリュームはパワーアンプの電力増幅回路又は位相反転回路の真空管ソケットに差し込むアダプターによって取り付ける物である。
【発明の効果】
【０００９】
本発明は元々マスター・ボリュームの無いアンプでもパワーアンプ回路又は位相反転回路部分の真空管ソケットに接続するだけで半田付けやアンプのシャーシーへの穴開けなどの改造無しに尚且つ容易にそのアンプ自体の回路に対するマスター・ボリュームを取り付ける事が可能となる。
【００１０】
半田付けやシャーシーへの穴開けの必要が無い為、改造によってアンプのオリジナル・コンディションを損なう理由でのアンプの商品価値が下がるという懸念も無くなる。
【発明を実施するための最良の形態】
【００１１】
図１のようにアンプのパワーアンプの電力増幅回路のそれぞれの真空管ソケットと真空管の間にアダプターを取り付けマスター・ボリュームを接続させる。
他の選択方法として図１のような電力増幅回路の真空管ソケットと真空管の間ではなく図３のようにアンプの位相反転回路部分の真空管ソケットと真空管の間にアダプターを取り付けるやり方でも可能である。
【実施例１】
【００１２】
図１は、本発明装置と楽器用真空管アンプの１実施例の外観斜視図であり、プッシュプル回路の真空管アンプで有効である。この実地例では５１〜５６が本発明装置に属する。１は楽器用真空管アンプのシャーシーであり５〜９は同シャーシーの真空管ソケットである。ソケット８と９は電力増幅回路用真空管２１と２２が本来接続されているが、そのソケット８〜９に本発明装置のアダプター５３と５４を接続させ電力増幅回路用真空管２１と２２も本発明装置のアダプター５３と５４に接続して使う。
【００１３】
図２は、本発明装置の回路図である。図１の実施例では接触点７１は図１のアダプター５３を通して電力増幅回路用真空管２１のコントロール・グリッドへ繋がる。接触点７２は図１のアダプター５４を通して電力増幅回路用真空管２２のコントロール・グリッドへ繋がる。プッシュプル回路のアンプ上では電力増幅回路用真空管２１と２２のコントロール・グリッドは音の交流信号の位相が逆になる為、可変抵抗８１と８２で連結して互いに打ち消しあう事で音量を調整できる。可変抵抗８１と８２は２連可変抵抗のそれぞれの側の可変抵抗を示し、一つの操作ツマミで連動している。コンデンサー８３も音の交流信号のみをアースさせる事で音量の調整の役割を果たす。接触点７３はアースへ接続させていて電力増幅回路用真空管のカソードがアースされてる回路の真空管アンプでは図１のアダプター５３又は５４を通して電力増幅回路用真空管ソケット８又は９のカソード用の端子へ繋げれば良い。
【実施例２】
【００１４】
図３は、図１とは別の実施例での本発明装置と楽器用真空管アンプの外観斜視図で、位相反転回路用真空管の２つのプレートに互いに位相が逆の音の信号が含まれてるタイプの位相反転回路を持つ真空管アンプに対して有効である。この実地例では９１〜９７が本発明装置に属する。
【００１５】
図３の実施例では、図２の接触点７１と７２は図３の位相反転回路用真空管２５の２つプレートへそれぞれ繋がり、接触点７３は図３のアース線９６へ繋がる。アース線９６は楽器用真空管アンプのシャーシー１のネジ等の突起物にアース用クリップ端子９７で挟んでアースさせる。
【図面の簡単な説明】
【００１６】
【図１】本発明装置の実施方法を示した外観斜視図である。（実施例１）
【図２】本発明装置の回路図である。
【図３】本発明装置の実施方法を示した外観斜視図である。（実施例２）
【符号の説明】
【００１７】
１    楽器用真空管アンプのシャーシー
５    プリアンプ用真空管ソケット
６    プリアンプ用真空管ソケット
７    位相反転回路用真空管ソケット
８    電力増幅回路用真空管ソケット
９    電力増幅回路用真空管ソケット
２１    電力増幅回路用真空管
２２    電力増幅回路用真空管
２５    位相反転回路用真空管
３１    プリアンプ真空管用シールドカバー
３２    プリアンプ真空管用シールドカバー
３３    位相反転回路真空管用シールドカバー
５１    マスター・ボリューム・ケース
５２    マスター・ボリューム・ツマミ
５３    アダプター
５４    アダプター
５５    ケーブル
５６    ケーブル
７１    接触点
７２    接触点
７３    接触点
８１    可変抵抗
８２    可変抵抗
８３    コンデンサー
９１    マスター・ボリューム・ツマミ
９２    マスター・ボリューム・ケース
９３    アダプターのシャーシー
９４    アダプター（プラグ部）
９５    アダプター（ソケット部）
９６    アース線
９７    アース用クリップ端子
【要約】
【課題】
ギター・アンプ等の真空管アンプで、そのアンプ自体の元々の回路への半田付けやアンプのシャーシーへの穴あけ等の面倒な改造をする事なく、そのアンプ自体が持つプリアンプ回路に対するマスター・ボリュームを取り付ける。
【解決手段】
真空管アンプのパワーアンプ部の電力増幅回路用真空管ソケット８〜９と電力増幅回路用真空管２１〜２２の間にそれぞれアダプター５３〜５４を差し込んで割り込ませる事によってそのアンプ自体の回路に対するマスター・ボリュームを取り付ける。（又は電力増幅回路用真空管ソケットと電力増幅回路用真空管ではなく位相反転回路部分の真空管ソケットと真空管の間にアダプターを取り付ける方法でも可能である。）
【選択図】図１【図１】
0004165902.tif 000002
【図２】
0004165902.tif 000003
【図３】
0004165902.tif 000004